(57)【要約】【課題】可動ルーバ及びダンパプレートを、集約化した操作部の操作によって、円滑に回動操作することができるレジスタを提供する。【解決手段】ベゼル１の正面に、前可動ルーバ３、後可動ルーバ４及びダンパプレート６を回動操作するための操作部１０が１つの円形操作領域内に設けられる。操作部１０は、前可動ルーバ３の前フィン３１の支軸３２を回動させ、且つ支軸３２の軸方向に摺動可能に嵌合される操作ノブ５を備える。操作ノブ５にはノブカバー８が設けられ、ノブカバー８は操作ノブ５の摺動に伴い前フィン３１の軸方向に摺動して後可動ルーバ４の後フィン４１を支軸４２の回りで回動させる。操作ノブ５の外周位置にはダイヤルリング６６が回動可能に配設され、ダイヤルリング６６はダンパプレート６の回動軸６１に回動機構３０を介して連係され、ダンパプレート６を開閉する。【選択図】図４
2013241110.tif 000002
【特許請求の範囲】
【請求項１】
リテーナの前部に空気吹出口を有するベゼルが嵌着され、該リテーナ内の通風路に、相互に直交方向に且つ前後して前可動ルーバと後可動ルーバとが設けられ、前可動ルーバと後可動ルーバには各々のフィンが支軸により回動可能に軸支され、通風路内にダンパプレートが開閉可能に設けられたレジスタにおいて、
該前可動ルーバ、後可動ルーバ及び該ダンパプレートを回動操作するための操作部が、該ベゼルに設けた円形孔の近傍に設けられ、
該操作部は、該前可動ルーバの前フィンの支軸を回動させ、且つ該支軸の軸方向に摺動可能に嵌合される操作ノブと、
該操作ノブをカバーし、且つ該操作ノブの摺動に伴い該操作ノブとともに該前フィンの軸方向に摺動して、後可動ルーバの後フィンを支軸の回りで回動させるノブカバーと、
該操作ノブの外周位置に回動可能に配設され、該ダンパプレートの回動軸に回動機構を介して連係され、該ダンパプレートを開閉操作するダイヤルリングと、を備えたことを特徴とするレジスタ。
【請求項２】
前記回動機構は、前記ダイヤルリングとともに回動するリングギヤと、該リングギヤと噛合して前記ダンパプレートの回動軸と直角方向に摺動するダンパ用ラックと、該ダンパプレートの回動軸の外周部に突設され、該ダンパ用ラックとは係合ピンと係合部を介して係合するレバー部と、を備え、該ダイヤルリングの回動力を該リングギヤ、該ダンパ用ラック及び該レバー部を介して該ダンパプレートに伝達することを特徴とする請求項１記載のレジスタ。
【請求項３】
前記回動機構の前記ダンパ用ラックは、前記リテーナの一部に設けた操作部取付部内に摺動可能に保持され、該ダンパ用ラックの端部に二股状の係合部が設けられ、前記レバー部の先端近傍に突設された前記係合ピンを該係合部に係合させることを特徴とする請求項１または２記載のレジスタ。
【請求項４】
前記ダイヤルリングは、前記操作部に設けた円形孔の外側に、保持リングを介して回動可能に取り付けられ、且つ該保持リングには該円形孔の内側にリングギヤが同心上に取り付けられ、該リングギヤが前記ダンパ用ラックと噛合することを特徴とする請求項２または３記載のレジスタ。
【請求項５】
前記操作ノブは略円板状のノブ本体を有するとともに、該ノブ本体の軸芯部から外周部にかけて開口部が設けられ、前記前フィンの支軸には異形断面軸が延設され、該操作ノブは該開口部を該異形断面軸に摺動可能に外嵌させて取り付けられたことを特徴とする請求項１記載のレジスタ。
【請求項６】
前記ノブカバーは、前面中央に開口部を有し、前記操作ノブの前面を該開口部から露出させ、且つ前記前フィンの支軸の軸方向に摺動可能に配設されたことを特徴とする請求項１記載のレジスタ。
【発明の詳細な説明】
【技術分野】
【０００１】
本発明は、自動車の車内等の換気や空調の空気吹出部に使用されるレジスタに関し、特に前可動ルーバ、後可動ルーバ及びダンパプレートの回動操作を、操作性良く円滑に行なうことができるレジスタに関する。
【背景技術】
【０００２】
空調用のレジスタとして、通風路を形成するリテーナまたはベゼル内に、横可動ルーバと縦可動ルーバを直交形態で且つ前後して配設し、縦可動ルーバの上流側にダンパプレートを配置した構造のレジスタが、自動車の室内の換気や空調の空気吹出部として使用されている。
【０００３】
この種のレジスタでは、通常、操作ノブが、前可動ルーバの中央部のフィン上に、その軸方向（横方向）に摺動可能に嵌合され、さらに、操作ノブの上流側端部に係合部が設けられ、その係合部を上流側に位置する後可動ルーバのフィンの一部または歯車部に係合させ、風の向きを左右に変える場合、操作ノブを前可動ルーバのフィン上で左又は右に摺動させ、風の向きを上下に変える場合、操作ノブを前可動ルーバのフィンと共に上又は下に回動させて風の向きを上下に変えるように動作する。
【０００４】
一方、通風路を開閉するダンパプレートは、支軸を介して回動可能に軸支され、その支軸が、ベゼルの正面の配設されたダンパ用のダイヤルノブに、リンク部材を介して連結され、ダイヤルノブの操作により、ダンパプレートを回動させて通風路を開閉し或いは開度を調整するようになっている。
【０００５】
ところで、可動ルーバ操作用の操作ノブとダンパ用のダイヤルノブを１つの操作ノブに統合させた構造のレジスタとして、直交する２つの可動ルーバとダンパプレートを、１つの操作ノブの操作で回動させる構造のレジスタが、従来、例えば下記特許文献１、特許文献２で知られている。
【先行技術文献】
【特許文献】
【０００６】
【特許文献１】特開２００４−２９９４６１号公報
【特許文献２】特開２００５−９７５１号公報
【発明の概要】
【発明が解決しようとする課題】
【０００７】
上記特許文献１のレジスタは、半球型の操作部を左右に回すことにより、縦可動ルーバの向きを左右に回動させ、同操作部を下側に回すことにより、横可動ルーバの向きを上下に回動させ、同操作部を上側に回すことにより、ダンパプレートを開閉動作させるように構成される。しかし、このレジスタは、１つの半球型操作部を操作して、横可動ルーバ、縦可動ルーバ及びダンパプレートを回動させることはできるものの、歯車部、リンク部材などの回動リンク機構が複雑化し、半球型操作部の操作時、操作対象である、横可動ルーバ、縦可動ルーバ及びダンパプレートに、半球型操作部の回動力が滑らかに伝わりにくく、ルーバやダンパをスムーズに回動させにくいという課題がある。
【０００８】
また、上記特許文献２のレジスタは、操作ノブが前可動ルーバの中央部近傍の横フィン上に左右に摺動可能に外嵌され、操作ノブの上流側端部の係合部が後可動ルーバの縦フィンに一部に係合するとともに、前可動ルーバを下側に大きく回動させたとき、前可動ルーバの各フィンが空気吹出口を閉鎖する、前可動ルーバ閉鎖型のレジスタとして構成される。また、このレジスタでは、前可動ルーバの各横フィンの支軸が、リンク部材、歯車部及びリンク部材を介してダンパプレートの支軸に連係され、操作ノブを下側に回動させて閉鎖したとき、回動リンク機構を介してダンパプレートを回動させ、ダンパを閉鎖するように構成される。
【０００９】
しかし、特許文献２のレジスタは、操作ノブの操作により前可動ルーバとともにダンパプレートを開閉することができるものの、操作ノブが前可動ルーバのフィンに外嵌される構造であるため、操作ノブをフィンに外嵌させない構造のレジスタには採用できず、また、ダンパプレートへのリンク機構が複雑化し、ダンパの開閉を操作性良く円滑に行なうことが難しいという課題があった。
【００１０】
本発明は、上記の点に鑑みてなされたもので、可動ルーバ及びダンパプレートを、集約化した操作部の操作によって、円滑に且つ容易に回動操作することができるレジスタを提供することを目的とする。
【課題を解決するための手段】
【００１１】
上記目的を達成するために、本発明のレジスタは、リテーナの前部に空気吹出口を有するベゼルが嵌着され、該リテーナ内の通風路に、相互に直交方向に且つ前後して前可動ルーバと後可動ルーバとが設けられ、前可動ルーバと後可動ルーバには各々のフィンが支軸により回動可能に軸支され、通風路内にダンパプレートが開閉可能に設けられたレジスタにおいて、該前可動ルーバ、後可動ルーバ及び該ダンパプレートを回動操作するための操作部が、該ベゼルに設けた円形孔の近傍に設けられ、該操作部は、該前可動ルーバの前フィンの支軸を回動させ、且つ該支軸の軸方向に摺動可能に嵌合される操作ノブと、該操作ノブをカバーし、且つ該操作ノブの摺動に伴い該操作ノブとともに該前フィンの軸方向に摺動して、後可動ルーバの後フィンを支軸の回りで回動させるノブカバーと、該操作ノブの外周位置に回動可能に配設され、該ダンパプレートの回動軸に回動機構を介して連係され、該ダンパプレートを開閉操作するダイヤルリングと、を備えたことを特徴とする。なお、この明細書で前とは、レジスタの正面側であるリテーナ内の通風路の下流側を意味し、後とはレジスタの背面側である通風路の上流側を意味する。
【００１２】
この発明によれば、操作部の操作ノブとダイヤルリングが円形孔近傍に集約して配置されるので、前可動ルーバ、後可動ルーバ及びダンパプレートの回動操作を、例えば１本或いは数本の指のみで、簡単に行なうことができ、レジスタの風向を円滑に且つ容易に変えることができる。また、操作部の意匠性も良好に構成することができる。
【００１３】
さらに、操作部の操作ノブは前可動ルーバの前フィンの支軸に直接回動力を与えて回動操作することになるので、前可動ルーバの前フィンの向きを軽く円滑に変えることができる。また、後可動ルーバの後フィンは、操作ノブを前フィンの軸方向に摺動させ、ノブカバーを介して、後フィンの向きを変えるように動作するので、後可動ルーバの後フィンの向きを軽く円滑に変えることができる。さらに、操作部の外周位置に配置されたダイヤルリングを回動操作して、ダンパプレートを開閉操作するので、ダンパプレートの開閉操作を円滑に行うことができる。
【００１４】
ここで、上記回動機構は、該ダイヤルリングとともに回動するリングギヤと、該リングギヤと噛合して該回動軸と直角方向に摺動するダンパ用ラックと、ダンパプレートの回動軸の外周部に突設され、該ダンパ用ラックとは係合ピンと係合部を介して係合するレバー部と、を備え、ダイヤルリングの回動力をリングギヤ、ダンパ用ラック及びレバー部を介してダンパプレートに伝達するように構成することができる。これによれば、ダイヤルリングの回動操作でダンパプレートを一層円滑に開閉することができる。
【００１５】
さらに、上記回動機構のダンパ用ラックは、上記リテーナの一部に設けた操作部取付部のラック保持部内に摺動可能に保持され、該ダンパ用ラックの端部に二股状の係合部が設けられ、上記レバー部の先端近傍に突設された上記係合ピンを該係合部に係合させる構成とすることができる。
【００１６】
さらに、上記ダイヤルリングは、上記操作部に設けた円形孔の外側に、保持リングを介して回動可能に取り付けられ、且つ該保持リングには該円形孔の内側にリングギヤが同心上に取り付けられ、該リングギヤが上記ダンパ用ラックと噛合するように構成することができる。
【００１７】
さらに、上記操作ノブは略円板状のノブ本体を有するとともに、該ノブ本体の軸芯部から外周部にかけて開口部が設けられ、上記前フィンの支軸には異形断面軸が延設され、該操作ノブは該開口部を該異形断面軸に摺動可能に外嵌させて取り付ける構成とすることができる。
【００１８】
さらに、上記ノブカバーは、前面中央に開口部を有し、上記リテーナの一部に設けた操作部取付部のカバー保持部内に摺動可能に保持され、上記操作ノブの前面を該開口部から露出させて、上記前フィン用支軸の軸方向に摺動可能に配設することができる。
【発明の効果】
【００１９】
本発明のレジスタによれば、前可動ルーバ、後可動ルーバ及びダンパプレートを、集約化した操作部の操作によって、円滑に且つ容易に回動操作することができる。
【図面の簡単な説明】
【００２０】
【図１】本発明の一実施形態を示すレジスタの正面図である。
【図２】同レジスタの左側面図である。
【図３】同レジスタの平面図である。
【図４】同レジスタの斜視図である。
【図５】同レジスタの下方から見た斜視図である。
【図６】同レジスタの背面図である。
【図７】同レジスタの右側面図である。
【図８】同レジスタの分解斜視図である。
【図９】ベゼルの操作部近傍部品の分解斜視図である。
【図１０】前可動ルーバ及び後可動ルーバ近傍部品の分解斜視図である。
【図１１】リテーナ及びダンパプレート近傍部品の分解斜視図である。
【図１２】図１のXII-XII断面図である。
【図１３】図１のXIII-XIII断面図である。
【図１４】背面からみた操作部の部分背面斜視図である。
【図１５】平面からみた操作部の部分平面斜視図である。
【図１６】前可動ルーバの回動動作を示す説明斜視図である。
【図１７】後可動ルーバの回動動作を示す説明斜視図である。
【図１８】ダンパプレートの回動動作を示す説明斜視図である。
【発明を実施するための形態】
【００２１】
以下、本発明の実施の形態を図面に基づいて説明する。図１〜図６に示すように、このレジスタは、概略的には、内部に通風路２１を設けたリテーナ２の前部に、空気吹出口１１を有するベゼル１が嵌着され、通風路２１内に、相互に直交方向に且つ前後して前可動ルーバ３と後可動ルーバ４とが配設され、後可動ルーバ４の上流側に、ダンパプレート６が開閉可能に配設され、リテーナ２内の通風路２１の横断面及び空気吹出口１１が横に長い薄型の薄型レジスタとして構成される。
【００２２】
レジスタの前部の意匠面を形成するベゼル１には、横方向に長く上下方向に短い横長スリット状の空気吹出口１１が形成され、ベゼル１の正面の右側端部には、円形の操作部、つまり前可動ルーバ３、後可動ルーバ４及びダンパプレート６を回動操作するための操作部１０が配設される。リテーナ２は、図１１のように、横断面を横長の長方形とするダクト状に形成されて、内部に通風路２１が形成され、さらにリテーナ２の前部には、後可動ルーバ４の上下の軸受部材４６を嵌着する嵌合部が上部と下部に設けられ、且つベゼル１の後部の嵌合部１３を嵌着させるための嵌合係止部２２が設けられる。
【００２３】
図１１に示すように、リテーナ２の前右端部には、ダンパ用ラック９を挿入して摺動可能に保持するラック保持部２４と、ノブカバー８を挿入して摺動可能に保持するためのカバー保持部２５とからなる操作部取付部２３が、リテーナ２と一体に方形枠状に設けられている。ダンパ用ラック９はラック保持部２４内で上下に摺動可能に挿入され、ノブカバー８はカバー保持部２５内で左右に摺動可能に挿入される。一方、リテーナ２の右側の側壁には、大径の軸孔２６が設けられ、この軸孔２６には、外側からダンパの回動軸６１が挿入され、回動軸６１の先端に設けた嵌合係止部６１ａを、ダンパプレート６の端部の嵌合部６８に係止させ、リテーナ２内に配設したダンパプレート６を、回動可能に軸支するようになっている。
【００２４】
なお、図１１に示す如く、ダンパプレート６の左側の端部には小形の支軸６９が突設され、ダンパプレート６をリテーナ２内の定位置に挿入したとき、支軸６９をそのリテーナ２の左側の側壁に設けた軸孔に嵌合させ、回動軸６１と支軸６９によりダンパプレート６は回動可能に支持される。また、ダンパプレート６の外周部には、クッションシートのシール材６ａが覆うように装着される。
【００２５】
図１１のように、ダンパプレート６の回動軸６１にはレバー部６２が突設され、そのレバー部６２の先端に係合ピン６３が回動軸６１と平行に突設される。ダンパプレート６は、この係合ピン６３が後述のダンパ用ラック９の係合部９２に係合し、ダンパ用ラック９を上下に摺動させることにより、開閉動作を行なう。
【００２６】
ベゼル１は、リテーナ２との間に、前可動ルーバ３及び後可動ルーバ４を配設した状態で、図８等に示すように、その後部の嵌合部１３をリテーナ２の前部の嵌合係止部２２に嵌合させて、リテーナ２の前部に嵌着される。
【００２７】
図５，１０等に示すように、前可動ルーバ３は、１枚の前フィン３１を、空気吹出口１１の直ぐ内側に水平横方向に向け、右端部のみに延設した支軸３２により回動可能に軸支して構成される。前フィン３１の左端部は自由端となっており、片持ち式の前フィン３１を構成する。
【００２８】
また、図１０に示すように、前フィン３１の右端部には正面視三角形状の開口部３１ａが前後に貫通して形成される。さらに、前フィン３１の支軸３２には、その軸線上に長方形断面を有する異形断面軸３３が延設され、異形断面軸３３に摺動可能に嵌合させた操作ノブ５を操作して、前フィン３１を上下に回動操作する構造である。支軸３２と異形断面軸３３との間に設けた軸受部は支持板３４により支持され、さらに異形断面軸３３の先端部は軸受板３６の軸孔に挿入され、前フィン３１は、支軸３２と異形断面軸３３を軸に、上下に回動可能に支持される。
【００２９】
また、図１０の如く、異形断面軸３３の端部偏心位置に、ボールプランジャ３５が取り付けられ、ボールプランジャ３５の先端のボールが軸受板３６に設けた凹凸部に当接し、前フィン３１の回動操作時、その回動角度に応じて、節度感（クリック感）が発生するようになっている。ボールプランジャは円筒ケース内にコイルばねと鋼球が配設され、端部から露出する鋼球が荷重を受けたとき、コイルばねの付勢力に抗して内側に移動する構造である。
【００３０】
前可動ルーバ３の前フィン３１を回動操作する操作ノブ５は、図１０に示すように、略円板状のノブ本体を有して構成され、ノブ本体には開口部５ａがその軸芯部から外周部にかけて形成され、その開口部５ａを異形断面軸３３に摺動可能に嵌合させて装着される。これにより、操作ノブ５を上下に回動させて前フィン３１を上下に回動させ、操作ノブ５を異形断面軸３３上で左右軸方向に摺動させることにより、ノブカバー８を同方向に摺動させ、ノブカバー８の二股状の係合部８２と係合する係合ピン４４及び連結レバー４７を介して、後可動ルーバ４の各後フィン４１を回動させて、後可動ルーバ４の向きを左右に変えるようになっている。
【００３１】
図１１に示すように、ノブカバー８は操作部取付部２３のカバー保持部２５内に、左右に（支軸３２の軸方向に）摺動可能に挿入されるが、その前板の中央に縦長の開口部８１が形成され、操作ノブ５が開口部８１から正面に露出するように被せられ、ノブカバー８は操作ノブ５とともに左右に移動する。また、図１１に示す如く、ノブカバー８の上板８４には、ボールプランジャ用の凹凸部が設けられ、操作部取付部２３の上部内側に、ボールプランジャ８３が下向きに取り付けられる。このボールプランジャ８３のボールは、上板８４の凹凸部に当接し、操作ノブ５を左右に動かして後可動ルーバ４を操作したとき、その操作量に応じて使用者にクリック感が生じるようになっている。
【００３２】
このノブカバー８及び操作ノブ５は、図１等に示すように、ベゼル１の右端に設けた操作部１０の円形孔１２から正面に露出するように取り付けられる。ベゼル１正面の右端に設けた操作部１０には、図９に示すように、円形凹部１４が形成され、その円形凹部１４の中央に、円形孔１２が形成される。そして、ダンパ操作用のダイヤルリング６６が保持リング６５を介して、その円形孔１２の正面側に回動可能に装着され、リングギヤ６４がベゼル１の背面側から保持リング６５に取り付けられる。ダイヤルリング６６の回動力は、保持リング６５、リングギヤ６４等からなるダンパ用の回動機構３０を介してダンパプレート６に伝達され、開閉する。
【００３３】
ダンパ用の回動機構３０は、図１８に示すように、ダンパプレート６の端部に嵌着される回動軸６１、回動軸６１に設けられた係合ピン６３付きのレバー部６２、係合ピン６３と係合する二股状の係合部９２を設けるとともにラック部９１を設けたダンパ用ラック９、ラック部９１と噛合するリングギヤ６４、及びリングギヤ６４を回動操作するためのダイヤルリング６６を備えて構成される。
【００３４】
ダイヤルリング６６はリング状に形成されるとともに、回動操作が容易にできるように凹凸が設けられ、保持リング６５の正面側に嵌着される。図９等に示すように、ダイヤルリング６６には、両側の回動時に指をかけるための凹凸が両側方向に設けられ、時計方向或いは反時計方向ともに指を凹凸にかけて回動しやすくしている。
【００３５】
保持リング６５には、ボールプランジャ６５ａが取り付けられ、保持リング６５を円形孔１２に回動可能に装着した状態で、ボールプランジャ６５ａのボールが、円形凹部１４に設けた凹凸部に当接する。これにより、ダイヤルリング６６を回動操作したとき、ボールプランジャ６５ａのボールが凹凸部を移動し、使用者にはその回動操作に応じたクリック感が得られるようになっている。
【００３６】
さらに、保持リング６５の内側（操作部１０の内側）に、ダンパ用のリングギヤ６４が取り付けられ、リングギヤ６４はダイヤルリング６６とともに回動する。リングギヤ６４には、図１８に示すように、ダンパ用ラック９のラック部９１が噛合する。ダンパ用ラック９は、図１１等に示す如く、前部縦方向にラック部９１を設け、後部に二股状の係合部９２を設け、その係合部９２をダンパプレートの回動軸６１のレバー部６２の係合ピン６３に係合させるように構成される。
【００３７】
ダンパ用ラック９は操作部取付部２３のラック保持部２４内に挿入されて上下に移動可能となっているため、ラック部９１に噛合するリングギヤ６４が回動すると、ダンパ用ラック９が上下に移動し、ダンパ用ラック９の後端に設けた係合部９２、係合ピン６３、及びレバー部６２を介して回動軸６１を回動させ、ダンパプレート６を回動させる構造である。
【００３８】
つまり、操作部１０のダイヤルリング６６を回動操作すると、リングギヤ６４が回動し、ダンパ用ラック９が上下に移動して、ダンパ用ラック９の後端に設けた係合部９２、係合ピン６３、及びレバー部６２を介して、回動軸６１が回動し、ダンパプレート６を回動させてダンパを開閉動作させるようになっている。
【００３９】
なお、ダンパ用ラック９の中間部には、図１１のように、ガイド孔９３が縦方向に設けられ、操作部取付部２３の背面側に設けた凸部をこのガイド孔９３に嵌合させ、ダンパ用ラック９の上下動を正確にガイドするようになっている。なお、ガイド孔と凸部との位置関係は、逆にすることもできる。
【００４０】
ダンパプレート６の下流側で、前フィン３１の上流側に配設される後可動ルーバ４は、図１０に示すように、複数の後フィン４１を所定の間隔で並設して構成される。各後フィン４１はその上端部と下端部に支軸４２が縦方向に突設され、各支軸４２は上側の軸受部材４６と下側の軸受部材４６に設けた軸孔に挿通され、回動可能に保持される。
【００４１】
なお、図１１等に示すように、後可動ルーバ４が配設されるリテーナ２の前部は、その高さが、左側に低く、右側に高く形成される。このため、後可動ルーバ４の複数の後フィン４１は、その高さが左側ほど低く、右側ほど高くなるように、形成されている。また、後可動ルーバ４の上下の軸受部材４６の形状は、そのリテーナ２の前部の高さに応じて、上下に湾曲した形状となっており、その軸受部材４６には、支軸４２を嵌入するための軸孔が所定の間隔で形成される。
【００４２】
一方、図１０、１１に示すように、リテーナ２の前縁部の上部と下部には、後可動ルーバ４の後フィン４１の支軸４２を軸支する軸受部材４６が嵌め込まれ、後可動ルーバ４の各後フィン４１はリテーナ２の前部に回動可能に配設される。後可動ルーバ４の後フィン４１の上端部の偏心位置に偏心軸４８が突設され、それらの偏心軸４８に１本のリンクバー４５が連結される。これにより、後可動ルーバ４の回動操作時、全ての後フィン４１が連動して同じ方向に回動する。
【００４３】
さらに、図１０のように、後可動ルーバ４は、右端の２本の後フィン４１における下側の支軸４２に、レバー部４３が設けられ、そのレバー部４３の先端に係合ピン４３ａが下向きに突設される。この係合ピン４３ａが上記連結レバー４７に連結される。
【００４４】
これにより、図１７に示すように、操作ノブ５を左右に動かして、ノブカバー８を左右に移動させたとき、係合部８２、係合ピン４４を介して連結レバー４７を左右横方向に移動させ、これによって、後可動ルーバ４の各後フィン４１を、その支軸４２の回りで左右に回動させ、後フィン４１の左右方向の向きを変えるようになっている。
【００４５】
なお、図１等に示すように、上記レジスタは正面視で右側に操作部１０が位置し、左側に空気吹出口１１が配置されるが、上記レジスタとは左右対称形状に形成され別のレジスタを、上記レジスタの左側に配置して結合させた形状とすることもできる。この場合、２個の空気吹出口がレジスタの中央に並設され、その両側に各々の操作部が位置した横幅の広いレジスタとなり、中央の空気吹出口から送風される風の向きを、両側の操作部の操作に応じて変えるように構成することもできる。
【００４６】
上記構成のレジスタは、自動車の車内のインストルメントパネルやダッシュボードの部分に、そのリテーナ２の末端を図示しない通風ダクトに接続するようにして装着される。通風ダクトから送られる空気は、レジスタのリテーナ２内の通風路２１から空気吹出口１１を通して吹き出される。
【００４７】
空気の吹出方向を上または下に変える場合、操作部１０内の操作ノブ５を上または下に回動させる。操作ノブ５に指を当てるなどして上または下に回動させると、図１６のように、操作ノブ５の嵌挿された異形断面軸３３と支軸３２が回動し、前可動ルーバ３の前フィン３１がその軸の回りで回動し、上下方向の向きが支軸３２を軸に変化して、空気の吹出方向が上下に調整される。
【００４８】
このとき、異形断面軸３３の端部のボールプランジャ３５に作用により、使用者には操作角度に応じたクリック感が得られ、任意の角度に前フィン３１の向きを変えることができる。操作ノブ５は支軸３２に延設された異形断面軸３３に外嵌され、操作ノブ５の回動力が直接的に支軸３２に伝達されるため、操作ノブ５の操作により、前フィン３１をスムーズに回動させることができる。
【００４９】
一方、空気の吹出方向を左右方向に変える場合、操作部１０の操作ノブ５を左または右に移動させて調整する。上記と同様に、操作ノブ５に指を当てるなどして左または右に移動させると、図１７に示すように、操作ノブ５とともにノブカバー８が水平方向（横方向）に移動し、ノブカバー８の係合部８２が係合ピン４４を介して連結レバー４７を横方向に移動させる。
【００５０】
これにより、連結レバー４７、ピン４３ａ、レバー部４３を介して、支軸４２が回動し、これにより、後フィン４１が支軸４２を軸に回動する。これにより、リンクバー４５を介して連結される全ての後フィン４１が回動し、後可動ルーバ４の向きが変えられる。
【００５１】
このように、操作ノブ５によりノブカバー８を左右に摺動させて後可動ルーバ４の向きを変え、ノブカバー８は操作部取付部２３のカバー保持部２５内で安定して摺動するので、後フィン４１の向きをスムーズに変えることができる。また、このとき、ノブカバー８の水平移動に伴い、ボールプランジャ８３の作用によって、使用者には操作幅に応じたクリック感が生じ、任意の角度に後可動ルーバ４の後フィン４１の向きを変えることができる。
【００５２】
一方、ダンパを開閉する場合、操作部１０のダイヤルリング６６を回動する。ダイヤルリング６６は、操作部１０の操作ノブ５の周囲に配置されるので、例えば使用者は人差し指で操作ノブ５を操作する姿勢のまま、その親指をまたは中指を或いは親指と中指をダイヤルリング６６に当てるなどして、簡単且つ便利にダイヤルリング６６を回すことができる。
【００５３】
ダイヤルリング６６を回動操作すると、図１８に示すように、リングギヤ６４が回動し、それに噛合するダンパ用ラック９が上下に摺動し、ダンパ用ラック９の後部に設けた係合部９２が係合ピン６３、レバー部６２を介して回動軸６１を回動させ、これにより、ダンパプレート６が回動して、通風路２１が開閉される。
【００５４】
このとき、リングギヤ６４により上下動するダンパ用ラック９は操作部取付部２３のラック保持部２４内に上下摺動可能に安定して保持されるので、ダイヤルリング６６の回動力をリングギヤ６４、ダンパ用ラック９、係合部９２、係合ピン６３、及びレバー部６２を介してダンパプレート６の回動軸６１に伝達することができ、ダンパプレート６をスムーズに回動することができる。
【００５５】
またこのとき、ダイヤルリング６６の回動に伴い、ボールプランジャ６５ａの作用によって、使用者には回動角度に応じたクリック感が生じ、任意の角度にダンパプレート６を回動して、開閉角度の調整も行うことができる。
【００５６】
例えば、図１の時計方向にダイヤルリング６６を回すと、ダンパ用ラック９が上昇し、回動軸６１とダンパプレート６は図１２の反時計方向に回動し、通風路２１を閉鎖する方向に回動する。一方、図１の反時計方向にダイヤルリング６６を回すと、ダンパ用ラック９が下降し、回動軸６１とダンパプレート６は図１２の時計方向に回動して、通風路２１を開放することとなる。
【００５７】
このように、操作ノブ５とダイヤルリング６６が操作部１０内に集約して配置されるので、前可動ルーバ３、後可動ルーバ４及びダンパプレート６の回動操作が例えば１本の指のみで簡単に行なうことができ、操作部の意匠性も良好に構成することができる。
【００５８】
また、操作部１０の操作ノブ５は前可動ルーバ３の前フィン３１の支軸３２に直接回動力を与えて回動操作することになるので、前可動ルーバ３の前フィン３１の向きを軽く円滑に変えることができる。
【００５９】
さらに、操作ノブ５を前フィン３１の軸方向に摺動させ、ノブカバー８を介して、後可動ルーバ４の後フィン４１の向きを変えるので、後可動ルーバ４の後フィン４１の向きを軽く円滑に変えることができる。
【００６０】
さらに、ダンパ操作は、フィン操作と同じ操作部１０内のダイヤルリング６６を回動操作して行なうので、フィンの回動操作を行ないつつ、ダンパプレート６の開閉操作も簡便に行うことができる。
【符号の説明】
【００６１】
１      ベゼル
２      リテーナ
３      前可動ルーバ
４      後可動ルーバ
５      操作ノブ
５ａ    開口部
６      ダンパプレート
８      ノブカバー
９      ダンパ用ラック
１０    操作部
１１    空気吹出口
１２    円形孔
１３    嵌合部
１４    円形凹部
２１    通風路
２２    嵌合係止部
２３    操作部取付部
２４    ラック保持部
２５    カバー保持部
２６    軸孔
３０    回動機構
３１    前フィン
３１ａ  開口部
３２    支軸
３３    異形断面軸
３４    支持板
３５    ボールプランジャ
３６    軸受板
４１    後フィン
４２    支軸
４３    レバー部
４３ａ  係合ピン
４４    係合ピン
４５    リンクバー
４６    軸受部材
４７    連結レバー
４８    偏心軸
６１    回動軸
６１ａ  嵌合係止部
６２    レバー部
６３    係合ピン
６４    リングギヤ
６５    保持リング
６５ａ  ボールプランジャ
６６    ダイヤルリング
６８    嵌合部
６９    支軸
８１    開口部
８２    係合部
８３    ボールプランジャ
８４    上板
９１    ラック部
９２    係合部
９３    ガイド孔
【図１】
2013241110.tif 000003
【図２】
2013241110.tif 000004
【図３】
2013241110.tif 000005
【図４】
2013241110.tif 000006
【図５】
2013241110.tif 000007
【図６】
2013241110.tif 000008
【図７】
2013241110.tif 000009
【図８】
2013241110.tif 000010
【図９】
2013241110.tif 000011
【図１０】
2013241110.tif 000012
【図１１】
2013241110.tif 000013
【図１２】
2013241110.tif 000014
【図１３】
2013241110.tif 000015
【図１４】
2013241110.tif 000016
【図１５】
2013241110.tif 000017
【図１６】
2013241110.tif 000018
【図１７】
2013241110.tif 000019
【図１８】
2013241110.tif 000020